(57)【要約】      （修正有）【課題】竹炭や備長炭などを含有する繊維を用いた包囲具に着物や帯などを収納して防虫、防菌、防湿、防臭を図るとともに、所望する着物や帯が探し易くするようにし、持ち運びが容易な衣裳包囲具を提供する。【解決手段】縦方向の短軸と横方向の長軸とが直交する対角線を有する略菱形に切断された衣裳包囲具１であって、該衣裳包囲具の中央に該長軸と同方向に位置するように上下辺部６，８および左右辺部３，４で構成される矩形または正方形の衣裳載置部２を設け、上下辺部６，８および左右辺部３，４から外方向に延在する頂部に向う左右部１０，１２および上下部の折りたたみ部１４，１６を設け、頂部近傍２０，２２の表面部に一方端部を縫着し他端部同士を結んで該左右部の折りたたみ部１０，１２の開放を防止する一対の紐部２５を設け、該上部の折りたたみ部の頂部近傍の表面部に短紐の一端部を縫着し他端部に開放指標片２６を取り付けた。【選択図】        図１
2004168394.tif 000002
【特許請求の範囲】
【請求項１】
縦方向に位置する短軸と横方向に位置する長軸とが直交する対角線を有する略菱形形状の衣裳包囲具であって、該衣裳包囲具の中央部分に該長軸方向と同方向に位置するように上下辺部および左右辺部で構成される矩形形状または正方形状の衣裳載置部を設け、該衣裳載置部の該上下辺部および該左右辺部から外方向に延在する頂部に向う左右部および上下部の折りたたみ部をそれぞれ設け、該左右部の折りたたみ部の頂部近傍の表面部に一方端部を縫着し他端部同士を結んで該左右部の折りたたみ部の開放を防止するようにした一対の紐部を設けるとともに、該上部の折りたたみ部の頂部近傍の表面部に短紐の一端部を縫着し他端部に開放指標片を取り付けたことを特徴とする衣裳包囲具。
【請求項２】
該略菱型形状に切断された該衣裳包囲具の周辺部の繊維の解れを防止するように縫製した周辺部を設けたことを特徴とする請求項１記載の衣裳包囲具。
【請求項３】
該左右部の折りたたみ部を折りたたんだ時に下辺部側に臨む該左右部の該折りたたみ部の周辺部と下部の折りたたみ部の周辺部との重畳部分に着脱可能なテープを配設したことを特徴とする請求項１記載の衣裳包囲具。
【請求項４】
該略菱形形状に切断した炭入り繊維シートを使用したことを特徴とする請求項１記載の衣裳包囲具。
【発明の詳細な説明】
【０００１】
【発明が属する技術分野】
本発明は、備長炭、木炭、竹炭などを主成分とした繊維を用いて着物や帯などの衣裳を包囲したまま収納することが可能な衣裳包囲具に関するものである。
【０００２】
【従来の技術】
従来、着物や帯などの衣裳を一枚ずつ包んだままタンスに収納するのに畳紙が使用されていた。畳紙に収納されている着物や帯を取り出す時は、タンスの引き出しごと取り出し、積み重ねてある畳紙に設けてある覗き窓の部分を見ながら自分の所望する着物か帯を選ぶのだが、所望の着物や帯が見つかると畳紙の紐を解き折りたたみ部分を開いて取り出していた。
【０００３】
炭入り繊維シートは、防虫、防湿、防臭効果があるので、クッション、枕カバー、寝具、携帯電話機ケース、衣服等に多様に用いられてきた。又、炭微粉末を含有してなる合繊繊維及びこの繊維を用いた綿状物並びにこれを内包してなる縫製体に関するものもある（例えば特許文献１を参照）。しかし、本発明の衣装包囲具のように具体的使用形状は提案されていない。
【０００４】
【特許文献１】
特開２００１−３４８７２３公報
【０００５】
【発明が解決しようとする課題】
このような着物や帯などを畳紙に入れたままの状態で、梅雨時期や湿気の多い家、あるいは閉めきった部屋などに置かれたタンス内の引き出しや収納棚のような密閉空間に収納しておくと、畳紙にカビが発生して着物や帯にイヤなニオイが付いたり、酷い時は害虫が発生して着物や帯を虫が食ってしまい高価な着物や帯が台無しになることがあった。さらに、タンスの中に積み重ねられたまま畳紙の中に収納されている着物や帯を探すのに、一々紐を解いて出さないと中味が見にくいといった問題があった。また、畳紙に衣服を入れて持ち運ぶ場合、折り畳みが容易でなく、また、かさばるので、不便であった。
【０００６】
本発明は、上記問題点に鑑みてなされたものであり、その目的は、竹炭や備長炭などを主成分とした比較的堅めの繊維を用いて着物や帯などを包囲したままタンスなどに収納して防虫、防菌、防湿、防臭をするとともに、所望する着物や帯が探し易くするようにし、また、持ち運びが容易になる衣裳包囲具を提供することにある。
【０００７】
【課題を解決するための手段】
上記課題を解決するために、本発明に係る第１の発明では、縦方向に位置する短軸と横方向に位置する長軸とが直交する対角線を有する略菱形形状の衣裳包囲具であって、該衣裳包囲具の中央部分に該長軸方向と同方向に位置するように上下辺部および左右辺部で構成される矩形形状または正方形状の衣裳載置部を設け、該衣裳載置部の該上下辺部および該左右辺部から外方向に延在する頂部に向う左右部および上下部の折りたたみ部をそれぞれ設け、該左右部の折りたたみ部の頂部近傍の表面部に一方端部を縫着し他端部同士を結んで該左右部の折りたたみ部の開放を防止するようにした一対の紐部を設けるとともに、該上部の折りたたみ部の頂部近傍の表面部に短紐の一端部を縫着し他端部に開放指標片を取り付けた。
【０００８】
第１の発明を主体とする第２の発明では、該略菱型形状に切断された該衣裳包囲具の周辺部の繊維の解れを防止するように縫製した周辺部を設けた。第１の発明を主体とする第３の発明では、該左右部の折りたたみ部を折りたたんだ時に下辺部側に臨む該左右部の該折りたたみ部の周辺部と下部の折りたたみ部の周辺部との重畳部分に着脱可能なテープを配設した。さらに、第１の発明を主体とする第４の発明では、該略菱形形状に切断した炭入り繊維シートを使用した。
【０００９】
【発明の実施の形態】
以下に、本発明に係る衣裳包囲具の具体的な実施形態を図面を参照して詳細に説明する。図１は本発明の衣裳包囲具の展開図、図２は衣裳包囲具の左右部の折りたたみ部を折りたたんだ状態を示す説明図、図３は図２に引き続き衣裳包囲具の下部の折りたたみ部を折りたたんだ状態を示す説明図、図４は左右部ならびに上下部の折りたたみ部を折りたたんだ状態を示す説明図である。
【００１０】
本発明の衣裳包囲具の展開図を図１に示す。図１に示すように、衣裳包囲具１の外形は略菱形形状になっている。略菱形形状の対角線をなし縦方向に位置する短軸Ｙと、横方向に位置する長軸Ｘとで構成され、短軸Ｙと長軸Ｘで直交する交点をなす。
【００１１】
略菱形形状を有する衣裳包囲具１の中央部分に衣裳包囲具１の長軸Ｘと一致するように矩形形状または正方形状の衣裳載置部２が設けてある。この衣裳載置部２は、左辺部３および右辺部４および上辺部６と下辺部８とで構成される。
【００１２】
左辺部３および右辺部４および上辺部６と下辺部８とで構成される衣裳載置部２のコーナー部と該略菱形形状を有する衣裳包囲具１の周辺部１８とは両者が接点を有することがないように衣裳包囲具１の中央よりの内部に位置している。
【００１３】
衣裳載置部２の左辺部３および右辺部４および上辺部６と下辺部８からそれぞれ外方向に延在する各頂部２０、２２、２３、２４に向う略三角形状の左右部の折りたたみ部１０、１２および上下部の折りたたみ部１４、１６が設けられている。
【００１４】
左右部の折りたたみ部１０、１２の表面部の頂部２０、２２近傍に紐部２５（ａ、ｂ）が設けられ、両紐部２５（ａ、ｂ）の一方端部は頂部２０、２２近傍に縫着し、他端部同士を結んで左右部の折りたたみ部１０、１２が開閉しないようになっている。なお、紐部２５（ａ、ｂ）を用いて両側を結ぶことについて述べたがこれに限定するものではなく、紐部２５（ａ、ｂ）の両端部着脱可能なテープで止めてもよい。
【００１５】
さらに、上部の折りたたみ部の頂部２３の表面部に短紐の一端部を逢着し、他端部に開放指標片２６が取り付けてある。この開放指標片２６は、衣裳包囲具１をタンス内の収納箱に収納しておき、必要な時に収納箱ごと取り出して積み重ねてある衣裳包囲具１の間から所望する着物や帯を容易に探しやすいように設けられたものである。開放指標片２６は薄型の碁石のような形状のものが望ましい。
【００１６】
略菱形形状に切断された衣裳包囲具１の周辺部１８は、切断面の繊維が解れないように縫着してある。また、左右部の折りたたみ部１０、１２を折りたたんだ時に下辺部８に臨む左右部の折りたたみ部１０、１２の周辺部と下部の折りたたみ部１６の周辺部との重畳部分に繰り返し使用できて、かつ着脱自在なテープが貼着してある。なお、下部の折りたたみ部１６を止めるのにテープを使用せずに下辺部８を中心にして折り返すだけでもよい。
【００１７】
衣裳包囲具１は、一枚のシート状の炭入り繊維シートを略菱形形状に切断したものを使用するか、衣裳載置部２を構成する左右辺部３、４にこの左右辺部３、４より少し大きめの底辺部を有する三角形状の左右部の折りたたみ部１０、１２を縫着する。同様に上下辺部６、８にこの上下辺部６、８と同じ大きさの底辺部を有する略三角形状の上下部の折りたたみ部１４、１６を縫着するようにしてもよい。
【００１８】
衣裳包囲具１の材質は、本発明の目的である防虫、防菌、防湿、防臭を達成するためには、炭入り繊維シートを使用することが望ましい。なお、該炭入り繊維シートとは、備長炭、木炭および竹炭などの炭の入った繊維状のシートを指す。
【００１９】
まず、炭入り繊維シートのうち、備長炭の入った繊維シートについて説明する。レーヨン繊維かポリエステル繊維母体中に埋入する消臭材として、備長炭を粉砕してなる備長炭微粒子を用いてある。レーヨン繊維またはポリエステル繊維の外表面に備長炭微粒子の一部が露出した状態となる。
【００２０】
レーヨン繊維やポリエステル繊維などの非吸湿性を改善してこれに吸湿性を付与することができるとともに、備長炭の導電性により帯電防止効果も同時に奏することができる。
【００２１】
また、備長炭は周囲の湿度が所定値より高くなつたときには水分を吸収し、一方周囲の湿度が所定値より低くなったときには吸収した水分を放出するといった調湿効果を奏する。
【００２２】
さらに、備長炭は脱臭性に優れているため、衣服や着物や帯などの衣裳の包囲具として今までにない防虫、防菌、防湿、防臭などの優れた機能を発揮する。
【００２３】
このように、レーヨン繊維やポリエステル繊維の綿状物を内包してなる縫製体を作成したときは、吸湿性、帯電性、調湿性、脱臭性に優れマイナスイオンを放出する縫製体とすることができる。
【００２４】
次に、木炭や竹炭の入った炭入り繊維シートについて説明する。炭入り繊維シートは、厚みが０．０１〜０．５ｍｍのホットメルト接着剤層によって不織布の片面に木炭と竹炭との混合粒子またはどちらか一方を固定したものである。不織布とは、繊維集合体から糸の段階を経ずに直接布状としたものであり、短繊維またはフイラメントを、機械的、熱的、化学的な手段を用いて接着または交絡させて作るシート構造のものである。防臭、防湿性シートに使用される不織布の片面に、木炭と竹炭との混合粒子が配置され、
【００２５】
不織布は炭入り繊維シートの基体として機能するものである。不織布を構成する糸の繊維の種類は制限されるものではなく、綿、麻、羊毛、絹などの天然繊維、再生セルロース繊維などの再生繊維、酢酸セルロース繊維などの半合成繊維、ナイロン繊維、ポリエステル繊維、アクリル繊維、ポリプロピレン繊維、ポリ塩ビリニデンなどの合成繊維が挙げられる。これらの合成繊維は、異なる種類の混合物であってもよい。
【００２６】
不織布の製造は製造別に、乾式法、湿式法、スバンボンド法などに分けられる。乾式法は、１〜１０ｃｍの長繊維を用い、紡績用カードなどで繊維を薄いシート状にし、ニードルパンチ、ステッチパンチ、接着などで接合するもので、かさ高性、弾力性を調整したものが得られる。
【００２７】
湿式法は、長さが数ミリメートルの繊維を水中に分散させ、繊維のバインダーを混合して、抄紙機を利用してシート状にするもので、化学繊維紙といわれているようにその外観は紙状を呈している。
【００２８】
ズバンボンド法は、合繊繊維を紡糸しながら、繊維を直接シート状に引き取って不織布を製造する方法であり、乾式法によって製造した不織布と同様、かさ高で柔らかい上に、強度にもすぐれている。不織布は、単位当たりの重量が余り小さすぎると、強度、かさ高性、弾力性などの劣るので、１５０ｇ／ｍ２以上で、厚さが０．５〜３ｍｍのものが好ましい。
【００２９】
防臭、防湿性シートに使用される不織布の片面に、木炭と竹炭との混合粒子が配置され、厚みが０．０１〜０．５ｍｍのホットメルト接着剤層によって不織布の片面に固定されている。木炭と竹炭との混合粒子は、その表面に多数の微細孔を有して比表面積の大きいものをいう。
【００３０】
比表面積の大きいその微細孔には、アンモニア、メチルメルカプタン、ホルムアルデヒド、アセトアルデヒド、かびなどの一般的な臭気成分を吸着し、有機系臭い分子を吸着するとともに、分解を促進するように機能するものである。
【００３１】
木炭は樹木を人工的に炭化させたものであり、比表面積が３００〜６００ｍ２の範囲もので、細孔容積が０．０５〜０．１２ｍｌ／ｇの範囲のものが好適である。
【００３２】
このような特性を有するものであれば、木炭製造用の原料樹木には制限がなく、ナラ、クヌギ、カシなどの広葉樹、スギ、ヒノキ、イチイなどの針葉樹などの樹木が挙げられる。竹炭は、孟宗竹を木炭と同様に人工的に炭化させたものであり、
比表面積、細孔半径、細孔容積などは、木炭の場合と同様の範囲のものが好適である。なお、木炭と竹炭は、粒径が０．３〜２ｍｍの範囲のものが好適である。
【００３３】
次に、衣裳包囲具１を用いた衣裳の包囲方法について説明する。
ここでいう衣裳包囲具１に包囲使用可能な衣裳は、少なくとも着物、帯および背広から選択することができる。
【００３４】
衣裳包囲具１の大きさは、衣裳によって寸法が異なるが、次のような寸法を目安にして製作することができる。すなわち、
（１）着物の場合は、ａ＝８８ｃｍ、ｂ＝３７ｃｍ、Ｗ＝４０ｃｍ、Ｈ＝４０ｃｍ
（２）帯の場合は、ａ＝６６ｃｍ、ｂ＝３５ｃｍ、Ｗ＝３０ｃｍ、Ｈ＝３５ｃｍ
（３）洋服の場合は、ａ＝５５ｃｍ、ｂ＝４０ｃｍ、Ｗ＝２５ｃｍ、Ｈ＝４０ｃｍ
【００３５】
まず、衣裳を包囲する場合、次の手順にて行う。
（１）予め着物、帯、背広などの衣裳の種類に応じて、衣裳包囲具１の大きさを決めた後、図１に示すように略菱形形状の短軸Ｙが縦方向に位置するように衣裳包囲具１を広げる。次いで、衣裳載置部２の上に予め包囲する衣裳を載置する。
【００３６】
（２）図２に示すように衣裳包囲具１の左右部の折りたたみ部１０、１２を持って、左右辺部３、４を底辺にした状態で左右部の折りたたみ部の頂部２０、２２を対角線の交点方向に折りたたむ。次いで、左右の紐部２５（ａ、ｂ）の両他端部を結ぶ。
【００３７】
（３）次いで図３に示すように、下部の折りたたみ部１６を持って下辺部８を底辺にした状態で下部の折りたたみ部の頂部２４を対角線の交点方向に折りたたむ。もし、左右部の折りたたみ部１０、１２を折りたたんだ時にの下辺部８に臨む左右部の折りたたみ部１０、１２の周辺部と下部の折りたたみ部１６の周辺部との重畳部分に繰り返し使用できて、かつ着脱自在なテープが貼着してある場合は、テープで止めておく。
【００３８】
（４）最後に上部の折りたたみ部１４を持って上辺部６を底辺にした状態で上部の折りたたみ部の頂部２３を対角線の交点方向に折りたたむ。この後、自由に折り曲げて持ち歩くことも、収納箱に収納することもできる。
【００３９】
【発明の効果】
以上説明したように本発明の衣裳包囲具によれば、次のような効果を奏する。すなわち、
（１）衣裳包囲具を積み重ねてもかさばることがなく、また必要な時に収納箱ごと取り出して積み重ねてある衣裳包囲具の間から所望する着物や帯を容易に探しやすい。
（２）衣裳包囲具の上に幾重にも重ねてあっても衣裳包囲具の間に手を伸ばして上部の折りたたみに取り付けてある開放指標片を引き出すことで衣裳包囲具の内部が容易に判断できる。
（３）畳紙とは異なり、腰の入った堅めの炭入り繊維シートを使用することにより、折りたたみが自由で持ち運びが容易となる。
（４）着物や帯などを包囲したままタンスなどに収納しても防虫、防菌、防湿、防臭を完全に行うことができる。
【図面の簡単な説明】
【図１】本発明の衣裳包囲具の展開図である。
【図２】衣裳包囲具の左右部の折りたたみ部を折りたたんだ状態を示す説明図である。
【図３】図２に引き続き衣裳包囲具の下部の折りたたみ部を折りたたんだ状態を示す説明図である。
【図４】左右部ならびに上下部の折りたたみ部を折りたたんだ状態を示す説明図である。
【符号の説明】
１        衣裳包囲具
２        衣裳載置部
３        左辺部
４        右辺部
６        上辺部
８        下辺部
１０      左部の折りたたみ部
１２      右部の折りたたみ部
１４      上部の折りたたみ部
１６      下部の折りたたみ部
１８      周辺部
２０      左部の折りたたみ部の頂部
２２      右部の折りたたみ部の頂部
２３      上部の折りたたみ部の頂部
２４      下部の折りたたみ部の頂部
２５（ａ、ｂ）      紐部
２６      開放指標片
【図１】
2004168394.tif 000003
【図２】
2004168394.tif 000004
【図３】
2004168394.tif 000005
【図４】
2004168394.tif 000006